(57)【要約】  本願は、個々のギアが逐次的に切り替えられる、車両用の多段変速機のための過剰シフト防止機構を備えた、シフト装置を開示する。シフト装置は、揺動可能なシフト部材を有し、このシフト部材は操作要素並びにこれに変位可能に保持されたドライバ要素から構成される。両部材は互いに面を合わせた長穴を有しており、それらはトランスミッションに導くシフトシャフトによって貫通されている。シフトプロセスはシフトシャフトの長穴の端部側への当接によって限定される。この位置においてシフトシャフトと長穴の輪郭の相互作用によってシフトシャフトの更なる回転、並びに、それに伴うトランスミッションの過剰シフトが防止される。
2013537288.tif 000002
【特許請求の範囲】
【請求項１】
揺動可能なシフト部材を介して段階的に回転されるシフトシャフト（１０）を有し、車両用の多段変速機のための過剰シフト防止機構を備えたシフト装置にして、前記シフト部材が鉤形状の爪（２ｅ、２ｆ）を備え、上記爪が、シフト部材の揺動の際に、一段低い変則段又は一段高い変速段にギア入れするためのドライブピン（１２ａ−１２ｆ）を介して、シフトシャフト（１０）を回転させるシフト装置において、
前記シフト部材が、揺動運動を導入するための操作要素（１）、及び、シフトシャフト（１０）の回転させるためのドライバ要素（２）から構成され、また、両構成部材が共通の長軸（５）に沿って互いに変位可能であること
を特徴とするシフト装置。
【請求項２】
請求項１に記載のシフト装置において、
操作要素（１）及びドライバ要素（２）が、スプリングの力によって互いに初期位置に保持されていることを特徴とするシフト装置。
【請求項３】
請求項２に記載のシフト装置において、
操作要素（１）及びドライバ要素（２）が、上部長手側及び下部長手側を備えまたシフトシャフト（１０）が貫通している長穴（１４、１５）を有しており、前記長穴（１４、１５）が両者の初期位置において互いに実質的に同じ高さで面を揃えていることを特徴とするシフト装置。
【請求項４】
請求項３に記載のシフト装置において、
シフトシャフト（１０）が、操作要素（１）の長穴（１５）内において、上部長手側及び下部長手側に沿って案内されることを特徴とするシフト装置。
【請求項５】
請求項４に記載のシフト装置において、
ドライバ要素（２）の長穴（１４）の下部長手側が、初期位置において、操作要素（１）の長穴（１５）の下部長手側と一致していること、及び、ドライバ要素（２）の上部長手側が、操作要素（１）の長穴（１５）の上部長手側と比べて、切妻屋根形状で上方へ拡張された輪郭を有することを特徴とするシフト装置。
【発明の詳細な説明】
【技術分野】
【０００１】
本発明は、本願の請求項１の前提部分に従う、自動車両用の多段変速機のための過剰シフト防止機構を有するシフト装置に関する。
【背景技術】
【０００２】
この種のシフト装置は、自動二輪車、又は、自動二輪車に類する３つ以上の車輪を有する車両に頻繁に設けられている。それらの装置は逐次的なシフト操作を許すものである、即ち、個々のシフト操作の際には、トランスミッション内では、一段高いギア、又は、一段低いギアにギア入れされる。
【０００３】
この種のシフト装置は、引用文献１に開示されている。既に知られている解決法は、例えば足によって操作可能なシフトレバーにより作用を及ぼされる揺動可能なシフトアームを想定している。このシフトアームにはシフト部材がヒンジされており、このシフト部材はシフトアームの揺動時に、シフトシャフトを所定の角度だけ回す。このために、シフト部材は鉤形状の爪を備えており、この爪はシフトシャフトの軸の周りで円状に配設されるドライバピンと噛合する。溝内に保持されたシフトフォークを用いて、シフトドラムが、シフトシャフトに接続されている。シフトシャフトの回転並びにそれに伴うシフトドラムの回動に際し、フォークは、既知の方法で、車両のトランスミッション内のギアを切り替える。
【０００４】
シフト部材の他に、既知の実施においては、シフトアームにはロック要素がヒンジされており、このロック要素はシフト部材と同時に移動する。ロック要素に形成される引っ掛け部材は、シフトシャフトのドライバピン用のストッパーとして利用され、その目的は、シフトリクエストの際に、シフトシャフトを想定された角度間隔だけ回転させることである。
【先行技術文献】
【特許文献】
【０００５】
【特許文献１】ドイツ連邦共和国公開特許公報ＤＥ１９６１７９８８Ｃ２
【発明の概要】
【発明が解決しようとする課題】
【０００６】
本発明の課題は、この種のシフト装置において、シフトリクエストの際の、シフトシャフトの回動を、簡潔な手段で限定することである。
【課題を解決するための手段】
【０００７】
この課題は請求項１の特徴によって解決される。本発明の有利な構成は、下位の請求項から得られる。
【０００８】
本発明に従い、シフト部材は二つの部分から構成される。第１の構成部材である操作要素は、シフトレバーと連結されいる、また、当該操作要素は、シフトレバーによって開始されるシフトリクエストを、第２の構成部材である鈎形状の爪を有するドライバ要素に、伝達する。両構成部材は、それらの長軸に沿って、弾性をもって互いに変位可能であり、また、両者は互いに対応する長穴を有している。両方の長穴を、シフトシャフトが貫通する。シフト部材の揺動運動の予め定められた終端にて、シフトシャフト、操作要素、及び、ドライバ要素は、互いにブロックするので、慣性によってもたらされる、シフトシャフトの自力での更なる回転は効果的に防がれる。
【０００９】
シフトレバーを放すと、シフト部材はリターンスプリングによって逆回転し、ドライバ要素では長穴の輪郭がブロッキングの開放を可能にする。そのために、この長穴の上部長手側は切妻屋根の形状を有している。開放の際には、ドライバ要素は、シフトシャフトが長穴の屋根斜面に沿って移動する間、その時点においてドライバ要素に割り当てられているドライバピンによって、下方へ押し下げられる。
【００１０】
本発明の更なる利点は、図面を参照して、実施例についての以降の記載からもたらされる。
【図面の簡単な説明】
【００１１】
【図１】本発明に従う二つの構成部から構成されるシフト部材の斜視図である。
【図２】図１のシフト部材の背面図である。
【図３】ニュートラル位置にあるシフト部材の前面図である。
【図４】シフトチェンジ時のシフト部材の状態である。
【００１２】
図１及び図２に従うシフト部材は、２つの互いに当接する平らな金属製の構成部材、つまりは操作要素１及びドライバ要素２から、構成されている。両矢印３が示すように、これらの両構成部材は、互いに変位可能である。より正確に言えば、ドライバ要素２はリターンスプリング４（図２参照）の力に対して、シフト部材の長軸５（図３参照）に沿って、操作要素１と向い合って、予め与えられた経路で上下方向へ変位出来る。リターンスプリング４は、コイルスプリングとして、操作要素１の突起１ｃに取付けられている。変位経路の限定は、２つの、垂直方向、すなわち長軸５の方向に、方向づけられた縦穴６及び縦穴７によって行われ、その際、上方の縦穴６はドライバ要素２に設けられており、また、中央付近に配置される縦穴７は操作要素１に設けられている。「上方」並びに「中央付近」といった位置表現、及び、以降の明細書内におけるその他の位置表現は、再度、シフト部材の長軸５及びその図中に示される取り付け状態に関連する。
【００１３】
縦穴６には、操作要素１と固定接続されたボルト８が案内されており、その一方で、縦穴７は別のボルトのステム９を収容する、なおこの別のボルトは、ドライバ要素２にて固定されており、また、縦穴７を突き抜いた反対側でディスク形状のボルトヘッド９ａを有している。ボルト８は、その図１に示される側にて、非図示のギアハウジング内で固定されている。ボルトヘッド９ａは縦穴７の幅よりも大きな外径を有しているので、それにより、操作要素１とドライバ要素２の両構成部材は、一つにまとめられている。その際、ボルトステム９の長さは、両構成部材が互いに押し付けあわないように、また、上述の相対移動が可能であるように、定められている。
【００１４】
ドライバ要素２は、操作要素１に向かって直角に曲げられたサイドキャッチ２ａ、２ｂを有している。これらの曲げ部分によって、キャッチ２ａ及びキャッチ２ｂは、操作要素１の外側端面１ａ、１ｂに沿って移動する。更に延びたところでは、キャッチ２ａ、２ｂは下方へ曲げられ、この曲げ部分でリターンスプリング４の端部を保持する。最後に、操作要素１は、ドライバ要素２と向かい合っていない側の上部に、非図示のシフトアームのジョイント部用収容部１３を備えており、それは場合によっては、別の接続部材を介して、通常のシフトレバーによって操作される。シフトレバーがギアシフト（ギアチェンジ）の際に操作される場合、シフト部材はボルト８の周りで右又は左に揺動する、なお、図４では左側への揺動が例示されている。
【００１５】
既に説明したように、図面はシフト部材の取り付け状態を示しており、これを用いて多段変速機は段階的にシフトされる。図１の描写であれば、部材の具体的な組立状態において、トランスミッション（ギアユニット）は、シフト部材の前方に位置することになる。シフトシャフト１０はトランスミッションから通じている。シフトシャフト１０は、図面内では、単にスタブシャフト（スタブアクスル）として図示されているに過ぎず、それは、操作要素１並びにドライバ要素２の下部分で略水平に調整された２つの長穴１４、１５を貫通している。なお、シフトシャフト１０は、そのシャフト軸１１によってシンボル化されている。トランスミッション内では、シフトシャフト１０は通常のシフトドラムに接続されている。
【００１６】
両長穴１４、１５は等しい長さを有しており、また、それらの丸められ、シフトシャフトの外径に適合された端部部分は、シフト部材を操作する際に、シフトシャフト１０用のストッパーとして利用される。更に、操作要素１の長穴１５は若干上部へ湾曲されている、そして、その長穴１５内へはシフトシャフト１０が案内される。ドライバ要素２の長穴１４の下側が、長穴１５の下側と同じ高さで面を揃えている一方で、その上部長手側は上方を指す対称な切妻屋根形状を有している。それはこの輪郭によって操作要素１の長穴１５の上部長手側１５ａを超えて上方に至る。
【００１７】
シフトシャフト１０と接続され、通常シフトスター（ｓｈｉｆｔ  ｓｔａｒ）と呼ばれる、同じく非図示の円形ディスク（セグメント）には、ピッチ円に渡り、６つのドライバピン１２ａ‐１２ｆが互いに等間隔でシャフト軸１１の周りに配設されている。ドライバピン１２ａ‐１２ｆはシフト部材によって以下に述べるような方法で作用を受ける。
【００１８】
これに関し、ドライバ要素２は、その下側において、前方及び上方、つまりドライバピン１２ａ‐１２ｆの方向へ、曲げられている。この方法によって、ドライバ要素は、Ｕ字形状で、上部が開放された部分２ｃを形成する。ドライバピン１２ａ‐１２ｆを指すＵ字形状部（U‐Ｓｃｈｅｎｋｅｌ）は、その中央領域に上部へ開放した凹み２ｄを有しており、この凹み２ｄは側面が鉤形状の爪２ｅ、２ｆで終端している。鉤爪２ｅ、２ｆの互いの間隔は、二つのドライバピン１２ａ‐１２ｆの、例えば図３ではドライバピン１２ａ及び１２ｆの、外側の間隔に対応する。鉤爪２ｅ、２ｆに続いて、Ｕ字形状部の上端部は、両側へ、スターティングスロープ２ｇ、２ｈの形で、外側に向かって下降している。
【００１９】
シフト部材は以下のような方法で機能する。図３は任意にギアを入れられ状態を示している。ドライバピン１２ａ及び１２ｆは、Ｕ字形状部の凹部２ｄ内で、鉤爪２ｅ、２ｆ付近に存在する。ここで、ギヤユニットが一段分シフトアップされる場合、シフト部材は、上述のシフトレバー、並びに、収容部１３に当接するシフトアームを介して、ボルト８の軸の周りで左へ揺動する。この揺動の際、鉤爪２eはドライバピン１２ａを同じく左へ押し、ドライバピンは、ドライバピンに接続されたシフトシャフトを、図３の矢印１６が示すように、時計回りに回転させる。
【００２０】
シフト部材の揺動運動は、図４に従い、シフトシャフト１０が長穴１４、１５の丸められた右側端部に当たることで制限される。シフトシャフト１０はその際、矢印１６に対応して、ドライバピン１２ｂがスターティングスロープ２ｇの外側端部に接触するほどまで、回転された。操作されるセレクタレバーの強さに応じて、シフトシャフトが、その慣性に基いて、更に回転可能であるとすると、それにより、更に１段高いものとして、ギヤユニットの過剰シフトが引起され得る。この場合、ドライバピン１２ｂは、スタートスロープ２ｇを「登らなければ」ならない。なお、「登る」とは、実際には、矢印１７に対応するように、ドライバ要素２を「下方へ押圧する」ことを意味する。ところがこれは、シフトシャフト１０と長穴１４の端部分の、相互のブロッキングによって防止される。言い換えれば、長穴１４の上側が、この位置において、シフトシャフトの外側に当接しており、それによりそのような動きが阻止されているため、ドライバピン１２ｂはドライバ要素２を下方へ押圧することは出来ない。
【００２１】
他方で、シフトレバーが開放される場合、詳細には示されていないリターンスプリングが、シフト部材を初期位置へ戻すように揺動させようとする。この場合、今やシフトシャフト１０は、屋根の傾斜のような輪郭に沿って、元の方向へ滑動出来るので、シフトシャフト１０とドライバ要素２の間のブロッキングは終了する。ドライバピン１２ｂは、スターティングスロープ２ｇを介して、リターンスプリング４の力に逆らって、ドライバ要素２を矢印１７の方向で下方に押圧する。その際、ルーフスロープ（屋根傾斜）とスターティングスロープが平行に延びていること、つまり、両者が等しいスタート角を有していること、が考慮される。シフト部材は右側へ揺動し、その初期位置へ戻る。この位置にて、ドライバピン１２ｂはスターティングスロープ２ｇの端部へ到達し、そして、ドライバ要素２を解除する。リターンスプリング４はドライバ要素を上方へと引っ張り、ドライバピン１２ａ及び１２ｂは、鉤爪２ｅ、２ｆの領域の凹部２ｄ内へ入り込む。それらは、その状態において、新たなシフトリクエストの際にシフトシャフト１０を記載の方法で次の角度間隔分だけ回動するための準備が整っている。
【００２２】
車両のトランスミッションが１段下げられる場合には、図３及び図４から自明であるように、逆方向に向かってプロセスは進行する。この場合、ドライバピン１２ｆは右側、つまり、反時計回りに動かされる。この時、シフトシャフト１０はこの時反時計回りに回転し、長穴１４、１５の左側の丸められた端部部分によって制限される。ブロッキング及びリターン運動は、上述の経過と同じように進行する。
【図１】
2013537288.tif 000003
【図２】
2013537288.tif 000004
【図３】
2013537288.tif 000005
【図４】
2013537288.tif 000006
【手続補正書】
【提出日】平成25年7月11日(2013.7.11)
【手続補正１】
【補正対象書類名】特許請求の範囲
【補正対象項目名】請求項５
【補正方法】変更
【補正の内容】
【請求項５】
請求項４に記載のシフト装置において、
ドライバ要素（２）の長穴（１４）の下部長手側が、初期位置において、操作要素（１）の長穴（１５）の下部長手側と一致していること、及び、ドライバ要素（２）の長穴（１４）の上部長手側が、操作要素（１）の長穴（１５）の上部長手側と比べて、切妻屋根形状で上方へ拡張された輪郭を有することを特徴とするシフト装置。
【国際調査報告】
2013537288.tif 000007
2013537288.tif 000008
2013537288.tif 000009
2013537288.tif 000010